(57)【要約】      （修正有）【課題】従来の郵便差出箱の構造を変えることなく、投函した特定小包が郵袋に投入できると共に、郵便物以外の異物が、ポストの郵便差出箱の差入口に投入されたときにでも、郵袋内の郵便物の損傷を防止することができる郵便差出箱の差入口案内板を提供する。【解決手段】郵便差出箱１Ａの前面の差入凹部及び差入孔に対応して取り付けられる郵便差出箱１Ａの差入口案内板４０において、開口部を有する有底状で形成され、差入口３から投入された特定小包を含む郵便物以外の異物を、開口部を通じて底部で収集する異物収集容器１０を有すること、該異物収集容器１０は、異物と郵便物とを分別する分別手段を有すること、郵便物の投入エネルギを減少させ、異物を異物収集容器１０に案内する規制板３４を有すること、異物収集容器１０が、口枠部４１と接続する支持部４５に対し揺動可能に取り付けられていることを特徴とする。【選択図】図２
0003170769.tif 000002
【実用新案登録請求の範囲】
【請求項１】
郵便差出箱の前面に形成された差入凹部及び差入孔に対応して取り付けられる郵便差出箱の差入口案内板であって、縦横寸法が特定小包の寸法に合わせて設定された差入口を含む口枠部と、前記口枠部の下端から下方へ斜めに延びる傾斜板部と、前記傾斜板部の下端縁を屈曲してなる屈曲縁部とを備えた郵便差出箱の差入口案内板において、
開口部を有する有底状で形成され、前記差入口から投入された郵便物以外の異物を、前記開口部を通じて底部で収集する異物収集容器を有すること、
前記異物収集容器は、前記異物と前記郵便物とを分別する分別手段を有すること、
前記郵便物の投入エネルギを減少させ、前記異物を前記異物収集容器に案内する規制板を有すること、
前記異物収集容器が、前記口枠部と接続する支持部に対し揺動可能に取り付けられていること、
を特徴とする郵便差出箱の差入口案内板。
【請求項２】
請求項１に記載する郵便差出箱の差入口案内板において、
前記差入口から投函される前記郵便物が前記特定小包であるときには、前記異物収集容器は揺動して、前記口枠部の最内側端より外側に位置することを特徴とする郵便差出箱の差入口案内板。
【請求項３】
請求項１または請求項２に記載する郵便差出箱の差入口案内板において、
前記分別手段が、傾斜したワイヤにより構成され、前記ワイヤが水平方向に対して７０°以上の角度で形成されていることを特徴とする郵便差出箱の差入口案内板。
【考案の詳細な説明】
【技術分野】
【０００１】
この考案は、角型ポストの郵便差出箱の前面に形成された差入凹部及び差入孔に対応して取り付けられる郵便差出箱の差入口案内板に関するものであり、詳しくは、縦横寸法が特定小包の寸法に合わせて設定された差入口を有する郵便差出箱の差入口案内板に関する。
【背景技術】
【０００２】
現在、一般に広く使用されている角型ポストには、大別して第１タイプと第２タイプとが存在する。角型ポストには、悪戯等により、例えば、たばこやマッチ等の燃焼物やガム等が、郵便物以外の異物として、ポストの郵便差出箱の差入口に投入されることがある。郵便物以外の異物が、ポストの郵便差出箱の差入口に投入されたときにでも、郵袋内の郵便物が損傷することのないポスト用異物収集装置が、例えば、特許文献１乃至３に開示されている。図１４は、特許文献１乃至３のような従来のポスト用異物収集装置を取り付けた１号角型の郵便差出箱の内部の様子を示す説明図である。図１５は、従来のポスト用異物収集装置を示す斜視図である。
【０００３】
はじめに、第１タイプの角型ポストについて説明する。第１タイプの角型ポストでは、差入口案内板１４０が、図１４に示すように、１号角型の郵便差出箱の前面に差入凹部及び差入孔を覆って取り付けられ、この差入口案内板１４０に、郵便物を投函する差入口１０３が、縦横寸法「３５×２４０」（ｍｍ）または「３５×２００」（ｍｍ）で形成されている。また、ポスト用異物収集装置１１０が、郵便差出箱内部において、差入口１０３の下方でかつ郵便差出箱の郵袋５の上方の位置に、揺動規制部材１１５で揺動を抑えて設けられ、図１５に示すように、開口部１１２に、複数の線材１２１を所定ピッチの間隔で配設して構成されている。
【０００４】
ポスト用異物収集装置１１０では、差入口１０３から投函した郵便物は、複数の線材１２１上を通過して郵袋５に投入され、前述したように、郵便物以外の異物が差入口１０３に投入されると、隣接する線材１２１，１２１同士の間を落下して底部１１３に、あるいは線材１２１上を伝って底部１１２に落下して収集される。このポスト用異物収集装置１１０により、郵便物以外の異物が、郵便差出箱の差入口１０３に投入されたときにでも、郵袋内の郵便物の損傷が防止できている。
【０００５】
従って、第１タイプの角型ポストは、はがきや封筒を郵袋に収集すると共に、ポスト用異物収集装置により郵便物以外の異物を収集できるようになっている。
【０００６】
次に、第２タイプの角型ポストについて説明する。近年、利用者の利便性向上のため、一部の小包（郵便事業株式会社が取り扱う「レターパック」（旧名称「エクスパック」）と称する特定小包）が、郵便局以外に、郵便差出箱の投函によっても郵送できるようになっている。特定小包の縦横寸法は「３４０×２４８」（ｍｍ）である。縦横寸法が「３５×２４０」（ｍｍ）または「３５×２００」（ｍｍ）の差入口を有した差入口案内板が取り付けられた一部の郵便差出箱、特に１号角型の郵便差出箱、すなわち第１タイプの角型ポストに、このサイズの特定小包を投函しようとしても、差入口の横寸法が特定小包の横寸法よりも小さいため、特定小包は投函できない。
【０００７】
そのため、差入口の縦横寸法が「３５×２４０」（ｍｍ）または「３５×２００」（ｍｍ）で、前述した従来のポスト用異物収集装置を備えた差入口案内板は、一部の郵便差出箱、特に１号角型の郵便差出箱（第１タイプの角型ポスト）から取り外されていた。その代わりとして、はがきや封筒以外にも特定小包を投函できる郵便差出箱を有した第２タイプの角型ポストが利用されている。第２タイプの角型ポストには、特許文献４に開示された郵便差出箱の差入口案内板のような、差入口の縦横寸法を特定小包の寸法に合わせた差入口を有した差入口案内板（以下、「特定小包用差入口案内板」と称する。）が、１号角型の郵便差出箱の前面に取り付けられている。
【０００８】
ところが、第２タイプの角型ポストでは、前述したように、郵便物以外に、悪戯等により、例えば、たばこやマッチ等の燃焼物やガム等の異物がポストの郵便差出箱の差入口に投入される問題が生じてしまう。これを避けるため、特定小包用差入口案内板を取り付けた郵便差出箱に、前述した従来のポスト用異物収集装置を取付けると、この従来のポスト用異物収集装置は、縦寸法が３４０ｍｍの特定小包（図１４中、符号８１）にとって、差入口側からの奥行き幅（図１４中、Ｘ2）が大き過ぎる。そのため、従来のポスト用異物収集装置を取り付けた特定小包用差入口案内板の差入口から、縦寸法が３４０ｍｍもある特定小包をそのまま投函しても、投函された特定小包が、郵便差出箱の内部で、従来のポスト用異物収集装置に引っ掛かってしまい、郵袋に落下できない（図１４参照）。
【０００９】
仮に、特定小包が郵袋まで入るよう、特定小包を無理に折り曲げて投函しようとすると、特定小包内の郵送対象物が損傷する虞があり、特定小包の利用者にとって問題になる。また、特定小包は、例えば、特定小包より少しだけ小さい角形２号の封筒寸法「３３２×２４０」（ｍｍ）等で封入した郵便物と比べ、その厚みや重さが非常に大きくなる場合もあり、可撓性は低く、無理に折り曲げて投函することができない。
【００１０】
従って、第２タイプの角型ポストは、はがきや封筒以外に、特定小包も郵袋に収集できるようになっているが、ポスト用異物収集装置の取り付けができなかったため、差入口から投入された郵便物以外の異物を、収集できていない。
【先行技術文献】
【特許文献】
【００１１】
【特許文献１】特開２０００−３１６７０６号公報
【特許文献２】特開２０００−３２５２２４号公報
【特許文献３】特開２０００−３２５２２５号公報
【特許文献４】実用新案登録第３１０７６５７号公報
【考案の概要】
【考案が解決しようとする課題】
【００１２】
しかしながら、第１タイプの角型ポストと第２タイプの角型ポストには以下の問題があった。前述したように、第１タイプの角型ポストでは、縦横寸法が「３４０×２４８」（ｍｍ）の特定小包が投函できない。また、第２タイプの角型ポストでは、縦寸法が３４０ｍｍの特定小包にとって、従来のポスト用異物収集装置では、差入口側からの奥行き幅が大き過ぎていたために、郵便物以外の異物を収集するポスト用異物収集装置が、特定小包用差入口案内板に取付けできていなかった。その理由から、第２タイプの角型ポストで、はがきや封筒以外に特定小包が投函できていることに加え、第１タイプの角型ポストで、ポスト用異物収集装置により郵便物以外の異物が収集できていることが付加された郵便差出箱は、存在していなかった。
【００１３】
その一方で、はがきや封筒以外に、縦横寸法「３４０×２４８」（ｍｍ）の特定小包も投函できる差入口案内板を取付けた第２タイプの角型ポストに、第１タイプの角型ポストで、ポスト用異物収集装置により郵便物以外の異物が収集できることを付加させた郵便差出箱の実用化の要望が、角型ポストの管理者（郵便事業株式会社等）から切実に出されていた。
【００１４】
本考案は、上記問題点を解決するためになされたものであり、従来の郵便差出箱の構造を変えることなく、投函した特定小包が郵袋に投入できると共に、郵便物以外の異物が、ポストの郵便差出箱の差入口に投入されたときにでも、郵袋内の郵便物の損傷を防止することができる郵便差出箱の差入口案内板を提供することを目的とする。
【課題を解決するための手段】
【００１５】
上記の問題点を解決するために、本考案の郵便差出箱の差入口案内板は、次の構成を有している。
【００１６】
（１）郵便差出箱の前面に形成された差入凹部及び差入孔に対応して取り付けられる郵便差出箱の差入口案内板であって、縦横寸法が特定小包の寸法に合わせて設定された差入口を含む口枠部と、口枠部の下端から下方へ斜めに延びる傾斜板部と、傾斜板部の下端縁を屈曲してなる屈曲縁部とを備えた郵便差出箱の差入口案内板において、開口部を有する有底状で形成され、差入口から投入された郵便物以外の異物を、開口部を通じて底部で収集する異物収集容器を有すること、異物収集容器は、異物と郵便物とを分別する分別手段を有すること、郵便物の投入エネルギを減少させ、異物を異物収集容器に案内する規制板を有すること、異物収集容器が、口枠部と接続する支持部に対し揺動可能に取り付けられていること、を特徴とする。
（２）（１）に記載する郵便差出箱の差入口案内板において、差入口から投函される郵便物が特定小包であるときには、異物収集容器は揺動して、口枠部の最内側端より外側に位置することを特徴とする。
（３）（１）または（２）に記載する郵便差出箱の差入口案内板において、分別手段が、傾斜したワイヤにより構成され、ワイヤが水平方向に対して７０°以上の角度で形成されていることを特徴とする。
【００１７】
上記構成を有する本考案の郵便差出箱の差入口案内板の作用・効果について説明する。
【００１８】
（１）郵便差出箱の前面に形成された差入凹部及び差入孔に対応して取り付けられる郵便差出箱の差入口案内板であって、縦横寸法が特定小包の寸法に合わせて設定された差入口を含む口枠部と、口枠部の下端から下方へ斜めに延びる傾斜板部と、傾斜板部の下端縁を屈曲してなる屈曲縁部とを備えた郵便差出箱の差入口案内板において、開口部を有する有底状で形成され、差入口から投入された郵便物以外の異物を、開口部を通じて底部で収集する異物収集容器を有すること、異物収集容器は、異物と郵便物とを分別する分別手段を有すること、郵便物の投入エネルギを減少させ、異物を異物収集容器に案内する規制板を有すること、異物収集容器が、口枠部と接続する支持部に対し揺動可能に取り付けられていること、を特徴とするので、郵便物として、差入口から投函された特定小包は、規制板と接触して投入エネルギを減少させ、異物収集容器に案内されながら、分別手段により郵袋に向けて移動する。このとき、例えば、縦横寸法「３４０×２４８」（ｍｍ）の特定小包の場合、投函された特定小包の縦方向始端部（先端部）が規制板を通過した後、縦方向終端部（後端部）が異物収集容器を通過しようとするときに、異物収集容器が、支持部を支点に、口枠部の最内側で、特定小包と離れた外側に向けて揺動する。
【００１９】
ここで、異物収集容器の揺動と特定小包の移動との関係について詳しく説明する。はじめに、差入口から郵便差出箱奥側に向けた水平方向に延びる特定小包の経路を投入経路とし、郵便差出箱内部において、投入経路から郵袋に向けた鉛直方向に延びる特定小包の経路を落下経路と定義する。
【００２０】
投函された特定小包の先端部が規制板を通過した後、この先端部は、郵便差出箱内部の奥側にある郵袋の載置部近くで、一時的に保持された状態となる場合がある。その場合には、保持された状態の後、自重と規制板による押圧とにより、差入口の近傍にあった特定小包の後端部が、異物収集容器にある分別手段に沿って異物収集容器と接触し、この異物収集容器を押圧しながら、先端部より先に落下し始める。このとき、異物収集容器は、支持部を支点に、特定小包と離れた外側に向けて揺動する。特定小包が異物収集容器と接触していない状態では、異物収集容器は、自重により、鉛直方向に対し、ほぼ直立の吊下げ姿勢を維持しているが、異物収集容器が、特定小包と離れた外側に向けて揺動して傾斜姿勢になることで、投入経路の長さは、先のほぼ直立の吊下げ姿勢の位置から、傾斜姿勢で口枠部の最内側に近づいた分、増加する。
【００２１】
投入経路長が増加することで、その投入経路長を一辺とする特定小包の経路の断面積は大きくなり、この断面積を有する落下経路も必然的に増加する。すなわち、後端部が、分別手段に沿って異物収集容器と接触し押圧しながら、先端部より先に落下し始めると、異物収集容器は、特定小包と離れた外側に向けてさらに退避する。そして、後端部は、断面積が大きくなった落下経路を、先端部より先に落下し、後端部に続いて先端部が、郵便差出箱内部の奥側にある郵袋の載置部近くから離れて、特定小包全体が郵袋内を落下するようになる。よって、特定小包の先端部が郵袋に入ろうとしたときに、特定小包の後端部が異物収集容器に引っ掛かり、特定小包の郵袋への移動が遮られることなく、特定小包が郵袋内に落下し収集される。
【００２２】
また、悪戯等により、例えば、たばこやマッチ等の燃焼物やガム等の異物が、ポストの郵便差出箱の差入口に投入された場合、投入されたこのような異物は、規制板により、異物収集容器に案内されながら、分別手段により、郵袋に入らず開口部を通じて底部に向けて落下し収集される。
【００２３】
また、本考案の郵便差出箱の差入口案内板は、新設される郵便差入箱以外に、既設された従来の郵便差入箱、特に１号角型の郵便差出箱についても、郵便差出箱の前面に形成された差入凹部及び差入孔に対応して簡単に取り付けることができる。
【００２４】
従って、本考案の郵便差出箱の差入口案内板によれば、新設の郵便差出箱以外に、既設された従来の郵便差出箱でもその構造を変えることなく、投函した特定小包が郵袋に投入できると共に、郵便物以外の異物が、ポストの郵便差出箱の差入口に投入されたときにでも、郵袋内の郵便物の損傷を防止することができる、という優れた効果を奏する。
【００２５】
（２）（１）に記載する郵便差出箱の差入口案内板において、差入口から投函される郵便物が特定小包であるときには、異物収集容器は揺動して、口枠部の最内側端より外側に位置することを特徴とするので、先に例示した縦横寸法が「３４０×２４８」（ｍｍ）の特定小包の場合、特定小包が異物収集容器を通過し郵袋に投入されるときに、異物収集容器が、特定小包の後端部との接触により、口枠部の最内側端まで最大限退避して投入経路の長さを増加できるようになり、投函された特定小包が異物収集容器を通過し郵袋に投入されるまでの投入経路及び落下経路がより広く確保できるようになる。
【００２６】
そのため、縦寸法３４０ｍｍの特定小包を投函したときに、特定小包を途中で無理に折り曲げて郵袋に投入する必要がなく、差入口から投函した特定小包が郵袋までスムーズに移動して投函することができる。特に、特定小包は、例えば、特定小包より少しだけ小さい角形２号の封筒寸法「３３２×２４０」（ｍｍ）等で封入した郵便物と比べ、その厚みや重さが非常に大きくなる場合もあり、可撓性が低くなることもあるので、投入経路及び落下経路が広く確保できると、投函者にとって特定小包を投函し易くなるメリットがある。
【００２７】
（３）（１）または（２）に記載する郵便差出箱の差入口案内板において、分別手段が、傾斜したワイヤにより構成され、ワイヤが水平方向に対して７０°以上の角度で形成されていることを特徴とするので、異物収集容器が口枠部の最内側に揺動し、特定小包から退避されると共に、差入口側からの異物収集容器の奥行き幅がより小さくなることから、投入経路の長さをより一層大きく増加できるようになり、投函された特定小包が異物収集容器を通過して郵袋に収集されるのに必要な空間が、最も大きく確保できるようになる。加えて、特定小包が、ワイヤに沿って郵袋に円滑に落下できるようにもなる。
【図面の簡単な説明】
【００２８】
【図１】本実施形態に係る差入口案内板を取付けた郵便差出箱を示す正面図である。
【図２】図１中、Ａ−Ａ矢視方向から見た郵便差出箱内の様子を示す説明図である。
【図３】図２中、Ｘ部の拡大図である。
【図４】図２と同様の図であり、差入口から特定小包が投函された様子を示す説明図である。
【図５】図４に続き、特定小包が異物収集容器を通過する様子を示す説明図である。
【図６】図５に続き、特定小包が異物収集容器を通過した様子を示す説明図である。
【図７】図６に続き、特定小包が郵袋内で落下する様子を示す説明図である。
【図８】本実施形態に係る異物収集容器を示す平面図である。
【図９】図８に示す異物収集容器の正面図である。
【図１０】図８に示す異物収集容器の側面図である。
【図１１】本実施形態に係る規制板を有する投函物案内手段を示す正面図であり、郵便差出箱に取付け前の状態を示す図である。
【図１２】本実施形態に係る規制板と異物収集容器との位置関係について、説明する斜視図である。
【図１３】図１２に続き、規制板と異物収集容器との位置関係について、説明する側面図である。
【図１４】特許文献１乃至３のような従来のポスト用異物収集装置を取り付けた１号角型の郵便差出箱の内部の様子を示す説明図である。
【図１５】図１４に示す従来のポスト用異物収集装置を示す斜視図である。
【考案を実施するための形態】
【００２９】
以下、本考案における郵便差出箱の差入口案内板を具体化した実施形態につき図面を参照して詳細に説明する。
【００３０】
図１は、本実施形態に係る差入口案内板を取付けた郵便差出箱を示す正面図である。図２は、図１中、Ａ−Ａ矢視方向から見た郵便差出箱内の様子を示す説明図である。
【００３１】
はじめに、１号角型の角型ポスト１について、図１及び図２を用いて簡単に説明する。
１号角型の角型ポスト１は、図１に示すように、郵便差出箱１Ａとスタンド１Ｂとを備えている。郵便差出箱１Ａの内側上部には、図２に示すように、差入口３が配設されている。差入口３の郵便差出箱１Ａの内側には、郵便差出箱１Ａに投函された郵便物の取出しが行われないようにする盗難防止板６が配設されている。盗難防止板６は、差入口３の郵便差出箱１Ａの内側上部に軸支されていて、自重により郵便差出箱１Ａの内側を封止している。差入口３の下部にある端部は、郵便差出箱１Ａの内側奥部に向けてへ字状に曲折されており、差入口３を押圧して手を入れた場合でも、板金で形成された差入口３のエッジ部で怪我をしない程度に処理されている。
【００３２】
郵便差出箱１Ａに収容されている郵袋５は、袋本体７及びその開口部に配設した枠体８からなり、枠体８は、郵便差出箱１Ａの内側の差入口３側に配設された郵便受部９ａと、差入口３の反対側に平行して配設された郵便受部９ｂに載置されている。郵便差出箱１Ａに対し、郵袋５の出し入れは、郵便差出箱１Ａの扉を４を開放し、郵便受部９ａ，９ｂに郵袋５の枠体８を載置して、郵便受部９ａ，９ｂの上面に対し、その枠体８を摺動することにより、収納、離脱がなされる。郵便受部９ａ，９ｂは、端部が略Ｌ字状の部材で、郵便差出箱１Ａの内側の面に、かつ郵便受部９ａと郵便受部９ｂとが平行して堅固に固着されている。
【００３３】
次に、差入口案内板４０について説明する。郵便差出箱１Ａの前面には、差入口案内板４０が、差入凹部２及び差入孔に対応して形成され、この差入凹部２と差入孔とを覆う形態で取り付けられている。差入口案内板４０は、縦横（図１中、縦方向が上下方向、横方向が左右方向）寸法が特定小包の寸法に合わせて設定された差入口３を含む口枠部４１と、口枠部４１の下端から下方へ斜めに延びる傾斜板部４２と、傾斜板部４２の下端縁を屈曲してなる屈曲縁部４３と、口枠部４１の上端から前方へ延びる庇板部４４と、口枠部４１と接続する支持部４５とを有している。口枠部４１、傾斜板部４２、屈曲縁部４３、及び庇板部４４は、例えば、表面にヘアライン仕上げが施されたステンレス板材等の金属からなる１枚の板材を、板金加工により折り曲げられて形成されている。
【００３４】
支持部４５は、図２に示すように、溶接等により口枠部４１と一体に接合され、郵便差出箱１Ａの内側奥部側の先端部に支持部引掛部材４６を有している。支持部引掛部材４６は、細長い長方形の平板を、短辺（図２に対し、紙面と平行に沿う辺）の途中で長辺（図２に対し、紙面と垂直方向に沿う辺）に沿ってＬ字形に直角に折り曲げ、短辺の両端部が向かい合う方向に、さらに短辺の途中で長辺に沿って鋭角に折り曲げて形成されている。支持部引掛部材４６は、その短辺方向の一端を、溶接等により支持部４５に固着して、短辺方向の他端に位置する支持部係合端４６ａで、後述する異物収集容器１０と係合するようになっている。この支持部係合端４６ａのちょうど上方の位置は、盗難防止板６により封止郵便差出箱１Ａの内側を封止する位置となっている。
【００３５】
差入口３は、横幅Ｗ１が縦幅より大きい横長の長方形で形成され、横幅Ｗ１に沿う方向に対し、口枠部４１の横幅Ｗ２方向に対し、片側（本実施形態では、右側）に偏って配置されている。差入口３の間口寸法は、郵便事業株式会社が取り扱う「レターパック」（旧名称「エクスパック」）と称する特定小包を差し入れできる許容寸法となっている。具体的に、差入口３の間口寸法は、縦横寸法「３４０×２４８」（ｍｍ）（郵送時の厚みが３０（ｍｍ）程度まで）の特定小包を無理なく投函可能な縦横寸法「４０×２５２」（ｍｍ）となっている。
【００３６】
また、差入口案内板４０は、口枠部４１、傾斜板部４２、屈曲縁部４３、庇板部４４、及び支持部４５のほかに、異物収集容器１０と、投函物案内手段３０とを備えている。図８は、本実施形態に係る異物収集容器の平面図であり、図８に示す異物収集容器の正面図を図９に、図８に示す異物収集容器の側面図を図１０に、それぞれ示す。
【００３７】
はじめに、異物収集容器１０について、図８乃至図１０を用いて説明する。異物収集容器１０は、開口部１２を有する有底状で形成され、差入口３から投入された郵便物以外の異物８２を、開口部１２を通じて収容箱１１の底部１３で収集する。また、この異物収集容器１０は、異物８２と郵便物８１とを分別する分別手段２０を収容箱１１の開口部１２に有している。この異物収集容器１０は、口枠部４１と接続する支持部４５の支持部引掛部材４６の支持部係合端４６ａに対し揺動可能に取り付けられている。
【００３８】
異物収集容器１０は、収容箱１１と、引掛部材１４と、補助板１５とから構成されている。収容箱１１は、図８乃至図１０に示すように、全体を略直方体の箱の長手方向の稜線を含み、斜めに切断した部分を有した全体形状で形成されている。具体的には、収容箱１１は、郵便物を除く異物のみを収容する底部１３を有し、この底部１３から郵便差出箱１Ａの差入口３側の内面と平行に延びる立上背面１１Ｂと、立上背面１１Ｂに対向し、その立上背面１１Ｂよりも高さを低くした立上前面１１Ａと、立上前面１１Ａと立上背面１１Ｂとを接続する右側面１１Ｃ、左側面１１Ｄとを有している。本実施形態では、収容箱１１は、たばこ等の燃焼物と長時間接触する可能性があるため、耐熱性に優れた材質で、溶接可能なステンレス材等の板金を用いて形成されている。本実施形態では、異物収集容器１０の底部１３における奥行き幅（図２中、左右方向）は、Ｘ1であり、図１４に示す従来の異物収集容器１１０の底部における奥行き幅Ｘ2より小さくなっている。
【００３９】
また、図１０に示すように、立上背面１１Ｂに沿う方向から見て略Ｌ字状に曲折された補助板１５が、収容箱１１の上部で底部１３と対向する位置に配設され、立上前面１１Ａ、立上背面１１Ｂ、右側面１１Ｃ、及び左側面１１Ｄに堅固に固着されている。また、引掛部材１４が、立上背面１１Ｂに沿う方向から見て略レ字状に曲折されて形成された引掛部係合端１４ａを有し、この引掛部係合端１４ａが上方位置になるよう、「レ字」を逆さにした向きで立上背面１１Ｂに接合されている。引掛部材１４の引掛部係合端１４ａと、支持部引掛部材４６の支持部係合端４６ａとは、互いに係合するようになっている。図３に、図２中、Ｘ部の拡大図を示す。
【００４０】
引掛部係合端１４ａを形成するのにあたり、引掛部材１４の折り曲げ角度と、支持部係合端４６ａを形成するのにあたり、支持部引掛部材４６の折り曲げ角度との大きさ比較すると、図３に示すように、引掛部材１４の折り曲げ角度と、支持部引掛部材４６の折り曲げ角度とが、ほぼ同じになっている。すなわち、異物収集容器１０は、自然状態では、引掛部係合端１４ａの先端部が、支持部引掛部材４６が折り曲げられた支持部係合端４６ａとほぼ当接し合って接触し、自重により、鉛直方向に対し、その傾斜角θが１〜３度程度傾いた状態で、力のバランスをとって吊り下がっている。
【００４１】
その一方で、差入口３から投函される郵便物が特定小包８１であるとき、特定小包８１によって異物収集容器１０が押圧されると、支持部係合端４６ａと引掛部係合端１４ａとが接触する部位を支点に揺動し、引掛部係合端１４ａの先端部と支持部係合端４６ａとの接触面積を自然状態のときより小さく、力学的に不安定な状態で、異物収集容器１０が、口枠部４１の最内側端の第１平面１ａより外側の位置で傾いたまま吊り下がる。
【００４２】
次に、支持部４５の支持部引掛部材４６に対する異物収集容器１０の取り付け方と取り外し方について、説明する。異物収集容器１０を支持部引掛部材４６に取付けるときには、郵便差出箱１Ａの扉４を開放し、差入口３の横幅Ｗ１方向に沿う方向から異物収集容器１０を挿入し、この方向に沿いながら、支持部引掛部材４６の支持部係合端４６ａに、引掛部材１４の引掛部係合端１４ａを引っ掛けて係合させると、異物収集容器１０が、支持部４５の支持部引掛部材４６に支持され、容易に外れることなく揺動自在に設置される。
【００４３】
一方、異物収集容器１０を支持部引掛部材４６から取り外すときには、異物収集容器１０を、差入口３の横幅Ｗ１方向に沿う方向に対し、扉４側に引き戻し、支持部引掛部材４６から取り外し、底部１３に収容した異物８２を捨てる。
【００４４】
前述したように、この異物収集容器１０は、異物８２と郵便物８１とを分別する分別手段２０を収容箱１１の開口部１２に有している。分別手段２０は、傾斜した線材２１により構成され、線材２１が水平方向に対して７０°以上の角度で形成されている。
【００４５】
具体的には、分別手段２０として、図８乃至図１０に示すように、複数本の丸棒を略Ｖ字状に折曲してなる線材２１が、その上端及び下端をスポット溶接により、底部１３と補助板１５に接合されている。これらの線材２１は、所定の間隔、例えば、はがきの短辺に対して２〜３本程度の間隔等で配置されている。線材２１の太さは、直径Φ数（ｍｍ）程度のものが好適である。この線材２１は、異物８２を収容する収容箱１１の上面に、差入口３に近い位置を高く、差入口３から離れるに従って低く形成されている。詳しくは、本実施形態では、この線材２１は、異物８２を収容する収容箱１１の上面で、差入口３に近い位置を水平部分とし、高く設定されている。また、この線材２１には、差入口３から離れるに従って、水平方向に対して７０°の角度で下向するように傾斜部分が形成されている。
【００４６】
ここで、異物８２を収容する収容箱１１の上面に所定の間隔で配設した複数本の線材２１は、差入口３から投函された特定小包８１を含む郵便物のみを分別して、郵袋５に導く分別手段２０を構成する。
【００４７】
次に、投函物案内手段３０について、図２及び図１１を用いて説明する。図１１は、本実施形態に係る規制板を有する投函物案内手段を示す正面図であり、郵便差出箱に取付け前の状態を示す図である。
【００４８】
投函物案内手段３０は、図２及び図１１に示すように、溶接可能なステンレス製の板材からなるガイド板３５と調整板３８とを有している。角型ポスト１には、郵便差出箱１Ａの奥行き方向（図２中、左右方向）の寸法が郵便差出箱１Ａの種類によって異なる場合があるため、奥行き寸法が異なっても同じ部品で接続できるよう、ガイド板３５と調整板３８とが、接合部３９で互いに突き合せて接続するようになっている。詳しくは、調整板３８は、ガイド板３５の一方の端部として、郵便差出箱１Ａの差入口３側の差入口側端部３７を挿通させる長孔を、奥行き方向に対し、異なる位置に複数有している。調整板３８は、郵便差出箱１Ａの奥行き寸法に合わせて、ガイド板３５の差入口側端部３７を挿通する長孔を選択して接続させ、長孔とは反対側の差入口３側の端部を、１０〜２０（ｍｍ）程度直角に折り曲げて、郵便差出箱１Ａの差入口３側の最内側端の第３平面１ｃに当接させ、次述する奥側端部３２の先端と共に弾性を持たせて固定されている。
【００４９】
ガイド板３５の他方の端部である奥側端部３２は、９０度以内の鋭角に繰り返し折曲され、郵便差出箱１Ａの差入口３の反対側の平面に当接し、しかもその奥側端部３２の先端は、ガイド板３５を郵便差出箱１Ａ内で、特定小包８１を含む郵便物を郵袋５に誘導するように弾性を持たせて固定されている。すなわち、ガイド板３５は、図１１に示すように、平板状のものを彎曲させて郵便差出箱１Ａに配設しており、その弾性力によって、郵便物を郵袋５に誘導している。
【００５０】
ガイド板３５の差入口側端部３７と奥側端部３２との間の郵便差出箱１Ａの内面側には、補助部材３３が配設されている。補助部材３３は、その一端がガイド板３５に固着され、他端は、郵便差出箱１Ａの差入口３の反対側の第２平面１ｂに当接している。そして、補助部材３３は、ガイド板３５に対して郵便差出箱１Ａの差入口３から棒状のもので外力を加えても、その彎曲状態が容易に変化しないように補強している。
【００５１】
また、ガイド板３５の差入口側端部３７と奥側端部３２との間の郵便差出箱１Ａの郵袋５側には、郵便物の投入エネルギを減少させ、異物８２を異物収集容器１０に案内する規制板３４が配設されている。規制板３４は、ガイド板３５との間を、ヒンジ及びバネを介した軸支部３６で回動可能に固着されている。ガイド板３５の郵便差出箱１Ａの内面側に固着されたストッパ３１が、軸支部３６の前方から投函された郵便物を噛み込まないように保護すると共に、自然状態の姿勢で吊下っている異物収集容器１０に対し、後述する所定の隙間Ｗを確保できるよう、規制板３４を必要以上前方へ揺動するのを規制している（図２参照）。
【００５２】
ここで、図１２及び図１３に、本実施形態に係る規制板と異物収集容器との位置関係を説明する図を示す。規制板３４は、図１２及び図１３に示すように、略く字状に折曲されており、軸支部３６を支点Ｍとし、自重によって略垂直に吊り下がっているが、厳密に言うと、規制板３４の重心位置は、規制板３４の自由端が支点Ｍよりも差入口３側に位置するよう、軸支部３６の取付け位置、規制板３４の折曲位置等を考慮して、設定されている。すなわち、規制板３４は、支点Ｎ（支持部引掛部材４６の支持部係合端４６ａと引掛部材１４の引掛部係合端１４ａとが引っ掛けられて係合した点）で支持され、郵便物等の接触による外力が規制板３４に加わっていない状態では、規制板３４の自由端は、前述したように、必要以上前方への揺動をストッパ３１で規制されつつ、異物収集容器１０の立上前面１１Ａ寄りに位置している。
【００５３】
また、傾斜角θが１〜３度程度傾いて吊り下がっている異物収集容器１０の収容箱１１の立上前面１１Ａと、規制板３４の自由端との間には、水平方向に対し、所定の隙間Ｗが確保されている。所定の隙間Ｗとは、図１２及び図１３に示すように、たばこやマッチ等の異物８２の落下を許容しない大きさの隙間である一方、はがき等、厚みが薄い郵便物を郵袋５に向けて落下させるため、はがき等が通過できる大きさの隙間である。よって、悪戯等により、例えば、たばこやマッチ等の燃焼物やガム等による郵便物以外の異物８２が郵便差出箱１Ａの差入口３に投入された場合でも、異物８２は、収容箱１１の開口部１２を通じて底部１３に誘導される。
【００５４】
前述した構成を有する本実施形態に係る郵便差出箱の差入口案内板の作用・効果について、図４乃至図７を用いて説明する。図４は、図２と同様の図であり、差入口から特定小包が投函された様子を示す説明図である。図５は、図４に続き、特定小包が異物収集容器を通過する様子を示す説明図である。図６は、図５に続き、特定小包が異物収集容器を通過した様子を示す説明図である。図７は、図６に続き、特定小包が郵袋内で落下する様子を示す説明図である。
【００５５】
（１）本実施形態に係る郵便差出箱の差入口案内板では、郵便差出箱１Ａの前面に形成された差入凹部２及び差入孔に対応して取り付けられる郵便差出箱１Ａの差入口案内板４０であって、縦横寸法が特定小包８１の寸法に合わせて設定された差入口３を含む口枠部４１と、口枠部４１の下端から下方へ斜めに延びる傾斜板部４２と、傾斜板部４２の下端縁を屈曲してなる屈曲縁部４３とを備えた郵便差出箱１Ａの差入口案内板４０において、開口部１２を有する有底状で形成され、差入口３から投入された特定小包８１を含む郵便物以外の異物８２を、開口部１２を通じて底部１３で収集する異物収集容器１０を有すること、異物収集容器１０は、異物８２と特定小包８１を含む郵便物とを分別する分別手段２０を有すること、特定小包８１を含む郵便物の投入エネルギを減少させ、異物８２を異物収集容器１０に案内する規制板３４を有すること、異物収集容器１０が、口枠部４１と接続する支持部４５の支持部引掛部材４６の支持部係合端４６ａに対し揺動可能に取り付けられていること、を特徴とするので、郵便物として、図４に示すように、差入口から投函された特定小包８１は、規制板３４と接触して投入エネルギを減少させ、異物収集容器１０に案内されながら、分別手段２０により郵袋５に向けて移動する。このとき、例えば、縦横寸法「３４０×２４８」（ｍｍ）の特定小包８１の場合、投函された特定小包８１の縦方向始端部（先端部）８１ａが規制板３４を通過した後、縦方向終端部（後端部）８１ｂが異物収集容器１０を通過しようとするときに、異物収集容器１０が、支持部引掛部材４６の支持部係合端４６ａと引掛部材１４の引掛部係合端１４ａとが引っ掛けられて係合した支点Ｎで、口枠部４１の最内側で、特定小包８１と離れた外側に向けて揺動する。
【００５６】
ここで、異物収集容器１０の揺動と特定小包８１の移動との関係について詳しく説明する。はじめに、差入口３から郵便差出箱１Ａ奥側に向けた水平方向に延びる特定小包８１の経路を投入経路とし、郵便差出箱１Ａ内部において、投入経路から郵袋５に向けた鉛直方向に延びる特定小包８１の経路を落下経路と定義する。
【００５７】
図４及び図５に示すように、投函された特定小包８１の先端部８１ａが規制板３４を通過した後、この先端部８１ａは、郵便差出箱１Ａ内部の奥側にある郵便受部９ｂ近くで、一時的に保持された状態となる場合がある。その場合には、保持された状態の後、自重と規制板３４による押圧とにより、差入口３の近傍にあった特定小包８１の後端部８１ｂが、異物収集容器１０にある分別手段２０の線材２１に沿って異物収集容器１０と接触して、この異物収集容器１０を差入口３側の方向Ｒに押圧しながら、先端部８１ａより先に落下し始める。このとき、異物収集容器１０は、支持部引掛部材４６の支持部係合端４６ａと引掛部材１４の引掛部係合端１４ａとが引っ掛けられて係合した支点Ｎで、特定小包８１と離れた外側の方向Ｒに向けて揺動する。特定小包８１が異物収集容器１０と接触していない状態では、異物収集容器１０は、自重により、鉛直方向に対し、傾斜角θが１〜３度程度だけ僅かに傾いた吊下げ姿勢を維持しているが、異物収集容器１０が、特定小包８１と離れた外側の方向Ｒに向けて揺動して傾斜姿勢になることで、投入経路の長さは、図４及び図５に示すように、先の吊下げ姿勢の位置のときの投入経路長Ｌ（０＜Ｌ）から、傾斜姿勢で口枠部４１の最内側に近づいたときの投入経路長Ｌ´（Ｌ＜Ｌ´）の差（ΔＬ＝Ｌ´−Ｌ）である分、増加する。
【００５８】
投入経路長がΔＬ増加することで、その投入経路長を一辺とする特定小包８１の経路の断面積は大きくなり、この断面積を有する落下経路も必然的に増加する。すなわち、後端部８１ｂが、分別手段２０の線材２１に沿って異物収集容器１０と接触し押圧しながら、先端部８１ｂより先に落下し始めると、異物収集容器１０は、特定小包８１と離れた外側の方向Ｒに向けて退避する。そして、後端部８１ｂは、断面積が大きくなった落下経路を、図６に示すように、先端部８１ａより先に落下し、後端部８１ｂに続いて先端部８１ａが、郵便差出箱１Ａ内部の奥側にある郵便受部９ｂ近くから離れて、図７に示すように、特定小包８１全体が郵袋５内を落下するようになる。よって、特定小包８１の先端部８１ａが郵袋５に入ろうとしたときに、特定小包８１の後端部８１ｂが異物収集容器１０に引っ掛かり、特定小包８１の郵袋５への移動が遮られることなく、図７に示すように、特定小包８１が郵袋５内に落下し収集される。特定小包８１が異物収集容器１０を通過すると、異物収集容器１０は、自重により、支点Ｎを中心に、方向Ｒと反対側の方向Ｌに向けて揺動し、自然状態に戻る。
【００５９】
また、悪戯等により、例えば、たばこやマッチ等の燃焼物やガム等の異物８２が、ポスト１の郵便差出箱１Ａの差入口３に投入された場合、投入されたこのような異物８２は、規制板３４により、異物収集容器１０に案内されながら、分別手段２０の線材２１により、郵袋５に入らず開口部１２を通じて底部１３に向けて落下し収集される。
【００６０】
また、本実施形態の郵便差出箱１Ａの差入口案内板４０は、新設される郵便差入箱以外に、既設された従来の郵便差入箱、特に１号角型の郵便差出箱１についても、郵便差出箱１Ａの前面に形成された差入凹部２及び差入孔に対応して簡単に取り付けることができる。
【００６１】
従って、本実施形態の郵便差出箱１Ａの差入口案内板４０によれば、新設の郵便差出箱以外に、既設された従来の郵便差出箱１でもその構造を変えることなく、投函した特定小包８１が郵袋５に投入できると共に、郵便物以外の異物８２が、ポスト１の郵便差出箱１Ａの差入口３に投入されたときにでも、郵袋５内の郵便物の損傷を防止することができる、という優れた効果を奏する。
【００６２】
（２）（１）に記載する郵便差出箱１Ａの差入口案内板４０において、差入口３から投函される郵便物が特定小包８１であるときには、異物収集容器１０は揺動して、口枠部４１の最内側端より外側に位置することを特徴とするので、先に例示した縦横寸法が「３４０×２４８」（ｍｍ）の特定小包８１の場合、特定小包８１が異物収集容器１０を通過し郵袋５に投入されるときに、異物収集容器１０が、特定小包８１の後端部８１ｂとの接触により、口枠部４１の最内側端の第１平面１ａまで最大限退避して投入経路の長さを増加できるようになり、投函された特定小包８１が異物収集容器１０を通過し郵袋５に投入されるまでの投入経路及び落下経路がより広く確保できるようになる。
【００６３】
そのため、縦寸法３４０ｍｍの特定小包８１を投函したときに、特定小包８１を途中で無理に折り曲げて郵袋５に投入する必要がなく、差入口３から投函した特定小包８１が郵袋５までスムーズに移動して投函することができる。特に、特定小包８１は、例えば、特定小包８１より少しだけ小さい角形２号の封筒寸法「３３２×２４０」（ｍｍ）等で封入した郵便物と比べ、その厚みや重さが非常に大きくなる場合もあり、可撓性が低くなることもあるので、投入経路及び落下経路が広く確保できると、投函者にとって特定小包８１を投函し易くなるメリットがある。
【００６４】
（３）（１）または（２）に記載する郵便差出箱１Ａの差入口案内板４０において、分別手段２０が、傾斜した線材２１により構成され、線材２１が水平方向に対して７０°以上の角度で形成されていることを特徴とするので、異物収集容器１０が口枠部４１の最内側の第１平面１ａに向けて揺動し、特定小包８１から退避されると共に、差入口３側からの異物収集容器１０の奥行き幅Ｘ2がより小さくなることから、投入経路の長さをより一層大きく増加できるようになり、投函された特定小包８１が異物収集容器１０を通過して郵袋５に収集されるのに必要な空間が、最も大きく確保できるようになる。加えて、特定小包８１が、線材２１に沿って郵袋５に円滑に落下できるようにもなる。
【００６５】
以上において、本考案を実施形態に即して説明したが、本考案は上記実施形態に限定されるものではなく、その要旨を逸脱しない範囲で、適宜変更して適用できる。
例えば、本実施形態では、収容箱１１を、立上前面１１Ａと平行に対向させて立上背面１１Ｂを立設し、底部１３と垂直に接合して構成したが、収容箱は、立上背面の下部と、この下部付近と接合する底部とを斜めに繋いで角部をアンダーカットさせ、底部における奥行きを、本実施形態の収容箱１１の奥行きＸ1よりさらに小さくして構成しても良い。
【符号の説明】
【００６６】
１Ａ  郵便差出箱
２  差入凹部
３  差入口
１０  異物収集容器
１２  開口部
１３  底部
２０  分別手段
２１  線材（ワイヤ）
３４  規制板
４０  差入口案内板
４１  口枠部
４２  傾斜板部
４３  屈曲縁部
４５  支持部
８１  特定小包
８２  異物
【図１】
0003170769.tif 000003
【図２】
0003170769.tif 000004
【図３】
0003170769.tif 000005
【図４】
0003170769.tif 000006
【図５】
0003170769.tif 000007
【図６】
0003170769.tif 000008
【図７】
0003170769.tif 000009
【図８】
0003170769.tif 000010
【図９】
0003170769.tif 000011
【図１０】
0003170769.tif 000012
【図１１】
0003170769.tif 000013
【図１２】
0003170769.tif 000014
【図１３】
0003170769.tif 000015
【図１４】
0003170769.tif 000016
【図１５】
0003170769.tif 000017